(57)【要約】【課題】チルト機構を組み込みながらも、ハンドルポストの構造が簡単化された、パワーステアリング機能を備えた、作業車用ステアリング装置を提供する。【解決手段】ステアリング装置４は、ハンドルポスト４２と、ステアリングハンドル４１と、ステアリングハンドル４１の操作変位を入力するコントロール部４３ａ及び操向輪を操作するアクチュエータ部４３ｂを含む油圧式パワーステアリングユニット４３とを備えている。ハンドルポスト４２が、車体に取り付けられた固定ポスト部４４と揺動ポスト部４５とからなり、固定ポスト部４４にチルト機構４６を介して揺動可能に連結されている。ステアリングハンドル４１とコントロール部４３ａとが揺動ポスト部４５に設けられている【選択図】図１
2013184560.tif 000002
【特許請求の範囲】
【請求項１】
ハンドルポストと、ステアリングハンドルと、前記ステアリングハンドルの操作変位を入力するコントロール部及び操向輪を操作するアクチュエータ部を含む油圧式パワーステアリングユニットとを備えた、作業車のステアリング装置において、
前記ハンドルポストが、車体に取り付けられた固定ポスト部と当該固定ポスト部にチルト機構を介して揺動可能に連結された揺動ポスト部とからなり、
前記ステアリングハンドルと前記コントロール部とが前記揺動ポスト部に設けられている、作業車のステアリング装置。
【請求項２】
前記固定ポスト部に対する前記揺動ポスト部の揺動に基づく位置ずれを吸収するフレキシブル配管部材が前記コントロール部から前記アクチュエータ部へのパワーステアリング配管に含まれている請求項１に記載の作業車のステアリング装置。
【請求項３】
前記チルト機構の揺動軸心が、車体前後方向で前記ステアリングハンドルのステアリング軸心の前方に位置している請求項１に記載の作業車のステアリング装置。
【請求項４】
前記揺動ポスト部が側板と天板とからなるボックス体である請求項１から３のいずれか一項に記載の作業車のステアリング装置。
【請求項５】
前記ステアリングハンドルのステアリング軸を貫通させる貫通孔が前記天板に設けられ、前記コントロール部が前記天板の裏面に装着されている請求項４に記載の作業車のステアリング装置。
【請求項６】
ウィンカーレバーユニットが、前記ステアリングハンドルと前記天板との間で前記天板に取り付けられている請求項４または５に記載の作業車のステアリング装置。
【請求項７】
前記固定ポスト部の上部が前記揺動ポスト部の下から挿入されており、前記チルト機構の揺動軸心を有するチルト軸が前記揺動ポスト部と前記固定ポスト部とを貫通する貫通連結ピンとして構成されている請求項１から６のいずれか一項に記載の作業車のステアリング装置。
【請求項８】
前記チルト機構のチルトロックユニットが、前記揺動ポスト部と前記固定ポスト部とを車体横断方向で貫通するとともに前記揺動ポスト部と前記固定ポスト部とを共締め可能なねじロッドを有し、前記ねじロッドの前記揺動ポスト部から突き出した部分に操作グリップが設けられている請求項７に記載の作業車のステアリング装置。
【請求項９】
前記ステアリングハンドルのステアリング軸心は前記固定ポスト部の中心軸より車体前後方向で後方にオフセットしており、前記ステアリングハンドルの車体前方側最大操作軌跡が平面視で前記固定ポスト部の車体前方側最大突出部の近傍に位置している請求項１から８のいずれか一項に記載の作業車のステアリング装置。
【発明の詳細な説明】
【技術分野】
【０００１】
本発明は作業車のステアリング装置に関し、特に、ハンドルポストと、ステアリングハンドルと、前記ステアリングハンドルの操作変位を入力するコントロール部及び操向輪を操作するアクチュエータ部を含むパワーステアリングユニットとを備えたステアリング装置に関する。
【背景技術】
【０００２】
上記のように構成されたステアリング装置を搭載したトラクタが特許文献１に記載されている。このステアリング装置では、運転席の前方に、ステアリングハンドルが設けられ、ステアリングハンドルのハンドル軸と該ハンドル軸を回転自在に保持するハンドルポストの下端部は、ハンドルブラケットの上壁を貫通して側壁間に配置され、その際ハンドルポストの下部がハンドルブラケットの上壁に溶接等により固着され、ハンドルブラケットの一対の側壁が、ボルトにより、一対の支持腕の後端部にそれぞれ左右軸（チルト軸）周りに揺動自在に支持されている。これにより、ハンドルポストはハンドルブラケットに固着されている。さらに、ステアリングハンドルを含むハンドルポストは、ハンドルブラケット及び左右一対の支持腕を介して、支持凸部に左右軸廻りに揺動自在に支持されて、前記左右軸廻りにチルト可能とされている。さらに、隔壁後方の支持凸部の下方に設けられているパワステコントローラは、支持凸部の後壁よりも前方に突出するように、ハンドル軸の下端部の下方前方に配置され、支持腕間に取り付けられ、パワステコントローラの入力軸とハンドル軸とは、自在継手により接続されている。
【先行技術文献】
【特許文献】
【０００３】
【特許文献１】特開２００６‐３２７３７９号公報  （段落番号〔００１１−００１７〕、図６、図１５）
【発明の概要】
【発明が解決しようとする課題】
【０００４】
上述したような特許文献１による従来のステアリング装置では、チルト機構による揺動を許すためにハンドル軸には自在継手を介装し、さらにここからパワステコントローラにステアリングハンドルの操作変位を伝達する軸が備えられている。従って、チルト機構の揺動を許すための自在継手を必要とするハンドル軸の構造及びハンドルポストの構造が複雑となり、コスト高の要因となっていた。
上記実情に鑑み、本発明の目的は、チルト機構を組み込みながらも、ハンドルポストの構造が簡単化された、パワーステアリング機能を備えたステアリング装置を提供することである。
【課題を解決するための手段】
【０００５】
ハンドルポストと、ステアリングハンドルと、前記ステアリングハンドルの操作変位を入力するコントロール部及び操向輪を操作するアクチュエータ部を含む油圧式パワーステアリングユニットとを備えた、作業車のステアリング装置において、上記課題を解決するために、本発明では、前記ハンドルポストが、車体に取り付けられた固定ポスト部と当該固定ポスト部にチルト機構を介して揺動可能に連結された揺動ポスト部とからなり、前記ステアリングハンドルと前記コントロール部とが前記揺動ポスト部に設けられている。
【０００６】
この構成によれば、固定ポスト部にチルト機構を介して揺動可能に連結された揺動ポスト部にステアリングハンドルと油圧式パワーステアリングユニットのコントロール部とが設けられているので、ステアリングハンドルとコントロール部との位置関係はチルト姿勢に依存せずに固定される。従って、ステアリングハンドルとコントロール部とを直結することも可能である。コントロール部からアクチュエータ部への油圧配管は、揺動ポスト部と固定ポスト部とを通り抜けるように延設するとよい。これにより、ステアリング装置のハンドルポスト及びハンドルポストに内蔵されるステアリングハンドルの操作変位を伝達するための構造も簡単となる。
【０００７】
特に、揺動ポスト部と固定ポスト部とを通り抜ける油圧配管が固定ポスト部に対する前記揺動ポスト部の揺動を制限することを確実に避けるためには、前記固定ポスト部に対する前記揺動ポスト部の揺動に基づく位置ずれを吸収するフレキシブル配管部材が、前記コントロール部から前記アクチュエータ部へのパワーステアリング配管に含まれるように構成する。これにより、前記揺動ポスト部の揺動に基づいて油圧配管に要求される姿勢や長さの変化は、フレキシブル配管部材に受け持たせることができる。
【０００８】
本発明の好適の実施形態の１つでは、前記チルト機構の揺動軸心が、車体前後方向で前記ステアリングハンドルのステアリング軸心の前方に位置している。これにより、運転席に着座する運転者とステアリングハンドルの距離を短くできるとともに、運転者と固定ポスト部との距離を長くすることができ、運転者の膝の前方に空間的な余裕を与えることができる。
【０００９】
前記揺動ポスト部が側板と天板とからなるボックス体とすれば、揺動ポスト部内の収容体積を確保できるし、軽量化にも貢献できる。また、揺動ポスト部の外側にステアリングハンドルを位置させ、揺動ポスト部の内側にコントロール部を位置させる場合には、前記ステアリングハンドルのステアリング軸を貫通させる貫通孔が前記天板に設けられ、前記コントロール部が前記天板の裏面に装着されることで、取付用ブラケットやクロスサポート材などの使用が抑制される取付構造を実現することができる。さらに、ステアリングハンドルの下方に配置されるべきウインカーレバーユニットをステアリングハンドルと天板との間で前記天板に取り付けることで、さらに天板の機器取付用部材としての利用価値が高まり、好都合である。
【００１０】
チルト機構構造を簡単にする好適な実施形態として、前記固定ポスト部の上部が前記揺動ポスト部の下から挿入されており、前記チルト機構の揺動軸心を有するチルト軸が前記揺動ポスト部と前記固定ポスト部とを貫通する貫通連結ピンとして構成することが提案される。つまり、固定ポスト部の上部と揺動ポスト部の下部が入れ子構造となり、その入れ子構造を連結する連結ピンや連結ロッドをチルト調整用の揺動軸として兼用させるので、構造が簡単となる。その際、任意のチルト角度で揺動ポスト部を固定ポスト部に固定するチルト機構のチルトロックユニットは上述した入れ子構造を利用することで簡単な構成にすることができる。そのような簡単なチルトロックユニットの一例では、前記揺動ポスト部と前記固定ポスト部とを車体横断方向で貫通するとともに前記揺動ポスト部と前記固定ポスト部とを共締め可能なねじロッドを有し、前記ねじロッドの前記揺動ポスト部から突き出した部分に操作グリップが設けられる。
【００１１】
本発明の好適な実施形態の１つでは、前記ステアリングハンドルのステアリング軸心は前記固定ポスト部の中心軸より車体前後方向で後方にオフセットしており、前記ステアリングハンドルの車体前方側最大操作軌跡が平面視で前記固定ポスト部の車体前方側最大突出部の近傍に位置している。この構成によれば、キャビン内にこのステアリングポストを設置する場合、固定ポスト部をキャビンのフロント面に近接または接触させて配置することができるとともに、ステアリングハンドルを運転席に着座した運転者に近接させることができる。
【図面の簡単な説明】
【００１２】
【図１】本発明による作業機に採用されているステアリング装置の基本構成を説明するための模式図である。
【図２】本発明の実施形態の一例としての刈取収穫機の側面図である。
【図３】刈取収穫機の平面図である。
【図４】刈取収穫機の正面図である。
【図５】刈取収穫機のフレームアッセンブリを示す斜視図である。
【図６】フレームアッセンブリの下部領域を示す平面図である。
【図７】フレームアッセンブリの側面図である。
【図８】刈取収穫機の油圧回路図である。
【図９】キャビン内部の機器配置を示す平面図である。
【図１０】ハンドルポストの断面側面図である。
【図１１】ハンドルポストの断面正面図である。
【図１２】変速レバーと駐車ブレーキの連係を示す模式図である。
【発明を実施するための形態】
【００１３】
以下、本発明の具体的な実施の形態を説明する前に、図１を用いて、本発明による作業機のステアリング装置の基本構成を説明する。図１で例示されたステアリング装置４は、ステアリングユニット４０と油圧式パワーステアリングユニット４３を備えている。ステアリングユニット４０は、車体上に形成された運転部の運転席３３の前に配置され、ハンドルポスト４２とハンドルポスト４２の上方に配置されたステアリングハンドル４１とを有している。
【００１４】
ハンドルポスト４２は、車体横断方向に延びた車体に取り付けられる固定ポスト部４４とこの固定ポスト部４４にチルト機構４６を介して揺動軸心ＴＡ周りで揺動可能に連結された揺動ポスト部４５とからなる。固定ポスト部４４と揺動ポスト部４５とはパネル構造であり、固定ポスト部４４は側板からなる四角形断面の筒体であり、揺動ポスト部４５は側板４５ｂと天板４５ａとからなる上部をカバーされた筒体である。チルト機構４６の最も簡単な形態の一つは、重なり合った固定ポスト部４４の上端部と揺動ポスト部４５の下端部を貫通して連結する車体横断方向に延びた揺動軸心ＴＡを有するチルト軸（揺動軸）４６ａである。
【００１５】
このステアリング装置４におけるパワーステアリングユニット４３のパワステ制御弁として機能するコントロール部４３ａは、揺動ポスト部４５内に収容され、その天板４５ａまたは側板４５ｂあるいはその両方の裏面に取り付けられている。ステアリングハンドル４１のハンドル軸４１ａは揺動ポスト部４５の天板４５ａを貫通して、コントロール部４３ａに制御入力軸として装着される。コントロール部４３ａは、ともにパワーステアリング油圧回路を構成する油圧シリンダ４３ｂや油圧ポンプ４３ｄとパワーステアリング配管４３ｃによって油圧接続されている。油圧シリンダ４３ｂは作業車の操向輪（前輪または後輪）のステアリング機構に組み込まれている。また、油圧ポンプ４３ｄは、通常、エンジンの出力軸から動力を受け取る。このため、油圧シリンダ４３ｂや油圧ポンプ４３ｄは、ハンドルポスト４２の外側、特に運転部外に配置される。従って、コントロール部４３ａに連結したパワーステアリング配管４３ｃがハンドルポスト４２内を通過する。パワーステアリング配管４３ｃの、少なくとも揺動ポスト部４５から固定ポスト部４４への移行領域では、固定ポスト部４４に対する揺動ポスト部４５の揺動を許すためにフレキシブル配管、例えば柔軟なホースが用いられる。
【００１６】
以下、本発明の具体的な実施形態を図面に基づいて説明する。ここでは、本発明に係るステアリング装置を搭載している作業車は、図２、図３、図４でその外観が示されているように、左右一対の前輪１１ａ及び後輪１１ｂによって支持された車体１の前部に運転部３が形成された、ホイール型の刈取収穫機である。この刈取収穫機は、運転部３の前側に刈取部１２、運転部３の後側に刈取物処理部１６、運転部３の下側に刈取部１２から刈取物処理部１６に刈取物を搬送するフィーダ１５を備えている。
【００１７】
刈取部１２には、作物の株元を切断して刈り取るバリカン型の刈刃と、この刈刃によって刈り取られた作物を刈幅方向の中央部に寄せ集める横送りオーガ１４が備えられている。さらには、刈取対象となる作物の穂先側を後方に向けて掻込む回転リールユニット１３が刈刃近くに備えられている。フィーダ１５は、詳しく図示されていないが、角筒状のフィードケース内に、前後方向に亘って左右一対の無端回動チェーンが巻回張設され、刈取部１２から受け渡された作物を運転部３の後側上方に位置する刈取物処理部１６に搬送する機能を有する。刈取物処理部１６には、フィーダ１５によって送り込まれた作物の脱穀処理を行う脱穀部１６ａ、この脱穀部１６ａにて脱穀処理されて得られた穀粒を貯留する穀粒タンク１６ｂが含まれている。穀粒タンク１６ｂの左側前方部分の下方にはエンジン２０が位置している。
【００１８】
刈取部１２は、刈取昇降機構１２ａの昇降用アクチュエータとしての刈取昇降シリンダにより横向き枢支軸心周りで昇降可能であり、回転リールユニット１３は、模式的にしか示されていないリール昇降機構１３ａの昇降用アクチュエータとしてのリール昇降シリンダにより横向き枢支軸心周りで昇降可能である。
【００１９】
図２から明らかなように、運転部３はキャビン３０で覆われており、車体１の左右両側部はカバー体１ａで覆われている。
【００２０】
車体１の基本構造は、図５と図６と図７に示すように、フレームアッセンブリ１０によって作り出されている。車体１のフレームアッセンブリ１０は、車体１の左右両側に位置し、且つ車体１の前後方向にわたって延びる状態で配備された複数の前後向きフレーム体１０ａ、及び、車体１の横方向に沿って延びる複数の横向きフレーム体１０ｂを備えている。
【００２１】
この実施形態での、複数の前後向きフレーム体１０ａは、左右一対の、断面形状が略コの字形の形鋼材であり、車体側面視で前輪１１ａの軸心位置から後輪１１ｂの軸心位置まで車体前後方向に延びている。複数の横向きフレーム体１０ｂは、いわゆるクロスビームであり、複数の横向きフレーム体１０ｂとして、車体１の前後方向に間隔をあけて横断方向に沿って延びている。この複数の横向きフレーム体１０ｂと複数の前後向きフレーム体１０ａとによって、フレームアッセンブリ１０の平面構造体が構築される。なお、このフレームアッセンブリ１０の平面構造体には、図６から理解できるように、車体横幅方向外方側に張り出す張り出しフレーム部１０ｃが含まれており、この張り出しフレーム部１０ｃにエンジン２０が載置される。
【００２２】
フレームアッセンブリ１０の前側の両側端部には、前輪１１ａに動力を伝達するための駆動用の前輪駆動ケース２２が各別に配置されている。エンジン２０の動力が変速装置２１を介して伝達される前輪駆動ケース２２は、前輪１１ａを駆動回転自在、且つ操向不能な状態で支持している。さらにフレームアッセンブリ１０の前端には、刈取昇降機構１２ａの刈取昇降シリンダの基端部が、シリンダ用ブラケットを介して揺動自在に取り付けられている。
【００２３】
フレームアッセンブリ１０の後端を構成する横向きフレーム体１０ｂとしてのクロスビームには、このクロスビームの下方で車体前後軸芯周りに揺動自在に、左右一対の後輪１１ｂを支持する後車軸ケース２３が支持ブラケットを介して支持されている。
【００２４】
図５及び図７に示すように、車体１の前部において、フレームアッセンブリ１０を構成する左右一対の前後向きフレーム体１０ａ夫々から左右一対の縦フレーム体１０ｄが立設されている。この左右一対の縦フレーム体１０ｄの上端部には、運転部３（キャビン３０）を支持するキャビン受けフレーム体１０ｅが形成されている。このキャビン受けフレーム体１０ｅは水平な取付部を形成しており、左右一対の取付部にクッション材を介してキャビン３０の下部が連結される。左右両側の縦フレーム体１０ｄに支持された運転部３（キャビン３０）の下方に空間が作り出されるので、この空間を通過するようにフィーダ１５が配置される。
【００２５】
図４に示すように、キャビン３０には、車体前方外方側及び車体横幅方向外方側を照明する照明装置として、キャビン３０の前面部の下部には、左右両側に２個ずつ合計４個の車体前方側の遠方を照らす前方照射ランプ３９ａが設けられ、キャビン３０の前面部の上部には、左右両側に２個ずつ合計４個の車体前方の刈取対象箇所を照らす刈取箇所照射ランプ３９ｂが設けられている。そして、キャビン３０の左右側面部における前側上部箇所には、夫々、１個ずつ車体横幅方向外方側を照明する側方照射ランプ３９ｃが設けられている。前方照射ランプ３９ａはキャビン３０の下端からさらに下方の位置に取り付けられているが、左右に２個ずつに振り分けられているので、フィーダ１５は運転部３の下方で左右の前方照射ランプ３９ａの間を前後方向に延設されている。
【００２６】
図４に示すように、運転部３（キャビン３０）は、正面視において左右一対の前輪１１ａ夫々の上方箇所に亘って設けられており、キャビン３０における右側（車体横幅方向一方側の一例）のドア３８ａよりも外側箇所にステップ３１が備えられ、キャビン３０における左側の端部と車体１の左側の端部とが、車体横幅方向で略同じ位置に設定され、且つ、ステップ３１の右側の端部と車体１の右側の端部とが、車体横幅方向で略同じ位置に設定されている。つまり、車体中心線ＶＣからキャビン中心線ＣＣが左側にオフセットしている。キャビン３０における左側のドア３８ａよりも外側箇所には、車体外方から運転部３に対して運転者が乗り降りするための乗降用の梯子３７が設けられている。ステップ３１に立つことにより、作業者は脱穀部１６ａに貯留される穀粒を穀粒排出機構（非図示）を用いて機体外部に排出させる際の穀粒排出状態を確認することができる。
【００２７】
図２から理解できるように、エンジン２０の排気ガスが通流する排気管２０ａ、及び、エンジン２０に吸気される燃焼用の空気が通流する吸気管２０ｂが、キャビン３０の後側面に沿って上下方向に延びる状態で、排気管２０ａの上端に形成された、排気ガス排出口を吸気管２０ｂの上端に形成された空気取り入れ部としてのプレクリーナ２０ｃよりも上方に離間して配置している。
【００２８】
排気管２０ａ及び吸気管２０ｂはそれぞれ、キャビン３０の後側面に沿う箇所であって且つキャビン３０の右側端部に対応する箇所に備えられるが、吸気管２０ｂは、キャビン３０の右側端部のうち、キャビン３０における機体横幅方向外方側に寄った箇所に備えられる。一方、排気管２０ａは、キャビン３０の右側端部のうち、キャビン３０における機体横幅方向中央側に寄った箇所に備えられている。
【００２９】
図８は、走行速度を変更する変速装置２１を構成するＨＳＴ２１ａの油圧回路１９ｈ、刈取昇降機構１２ａの油圧回路１９ａ、リール昇降機構１３ｃの油圧回路１９ｃ、穀粒排出機構の油圧回路１９ｃ、パワーステアリングユニット４３の油圧回路１９ｐを含む油圧回路図である。ＨＳＴ２１ａの油圧回路１９ｈは、エンジン２０の動力によって駆動する斜板制御タイプの油圧ポンプと油圧ポンプから供給される作動油によって回転する油圧モータを有し、油圧モータの正転及び逆転での回転速度は、斜板制御弁を含む斜板調整機構による油圧ポンプの斜板角調整によって変更される。刈取昇降機構１２ａの油圧回路１９ａ、リール昇降機構１３ｃの油圧回路１９ｃ、穀粒排出機構の油圧回路１９ｃは、実質的には同じ回路構成であり、基本的にはシリンダ制御弁とシリンダから構成される。上述した斜板制御弁やシリンダ制御弁は運転部３に装備される手動操作デバイスによって遠隔操作される。パワーステアリングユニット４３の油圧回路１９ｐは、ステアリングハンドル４１の動きを操作入力とするパワステ制御弁と油圧ポンプとステアリングシリンダとを主要構成要素とし、パワステ制御弁がステアリングハンドル４１の回転量に比例した作動油をステアリングシリンダに供給することで車輪（ここでは後輪１１ｂ）の操舵が実現する。
【００３０】
キャビン３０の内部における各種機器の配置が図９に示されている。キャビン３０には運転フロア３２が敷設されており、運転席３３は、キャビン３０の後方領域で、ステアリングハンドル４１はキャビン３０の前方領域で、互いにキャビン３０の前後方向中心を通るキャビン中心線ＣＣ上にほぼ配置されている。ただし、前述したように、キャビン３０は、車体中心線ＶＣから車体横断方向にオフセット（この実施例では左側にオフセット）してフレームアッセンブリ１０のキャビン受けフレーム体１０ｅに載置されているので、運転席３３は車体中心線ＶＣからステップ３１の横幅の１／２程度だけ左寄りとなっている。運転席３３の前方、つまりキャビン３０の前方領域でほぼキャビン中心線ＣＣ上に配置されている。
【００３１】
この実施形態では、運転席３３の左隣には固定式の補助席８１が配置され、運転席３３の右隣には操作卓５が配置されている。さらに、操作卓５の右隣には収納ボックス８２が配置されている。この収納ボックス８２の揺動蓋として機能する天板にはクッションが装着されており、簡易席としても機能するように構成されている。つまり、補助席８１、運転席３３、操作卓５、収納ボックス８２がキャビン３０の後壁に隣接して横並び配置されており、横に細長いキャビン空間を有効に利用しいている。なお、固定式の補助席８１に代えて、折りたたみ式の補助席を採用してもよいし、収納ボックス８２を採用してもよい。
【００３２】
操作卓５はほぼ車体前後方向に細長の直方体形状で運転席３３や収納ボックス８２から前方にすこし突き出した形態となっている。操作卓５の上面部５０を形成する上面パネルは操作パネルとして形成されており、各種操作レバーが上面パネル５０から突き出した状態で配置されている。このため、例えば、上面パネル５０の前領域には、主変速レバー用ガイド溝５０ａ、刈取昇降レバー用ガイド溝５０ｂ、リール昇降レバー用ガイド溝５０ｃが横並びで、前後方向に延びるように形成されている。また、上面パネル５０の中間領域には、副変速レバー用ガイド溝５０ｄが前後方向に形成されている。主変速レバー用ガイド溝５０ａから上方に突き出している変速レバー６１は、ＨＳＴ２１ａのポンプ斜板を操作して、この機体の走行速度を前進及び後進で無段階に調整するために用いられる。刈取昇降レバー用ガイド溝５０ｂから上方に突き出している刈取昇降レバー６２は、刈取昇降機構１２ａを制御して刈取部１２の高さを調整するために用いられる。リール昇降レバー用ガイド溝５０ｃから上方に突き出しているリール昇降レバー６３はリール昇降機構１３ａを制御して回転リールユニット１３の高さを調整するために用いられる。
【００３３】
主変速レバー６１は、運転者によって頻繁に使用されるため、運転席３３に着座した運転者に最も近い位置に配置され、次いで刈取昇降レバー６２が、さらに外側にリール昇降レバー６３が配置されると好都合である。このため、主変速レバー用ガイド溝５０ａ、刈取昇降レバー用ガイド溝５０ｂ、リール昇降レバー用ガイド溝５０ｃもそのような運転席３３からの横断方向の順番で配置されている。
また、着座した運転者の操作側の肩回動による腕の動き軌跡に適応させるために、この実施形態では、主変速レバー用ガイド溝５０ａの前端位置が刈取昇降レバー用ガイド溝５０ｂの前端位置よりも前方に、さらに刈取昇降レバー用ガイド溝５０ｂの前端位がリール昇降レバー用ガイド溝５０ｃの前端位置より前方になるように形成することで、主変速レバー６１のグリップ部の最前方揺動変位位置が刈取昇降レバー６２の最前方揺動変位位置より前方に、刈取昇降レバー６２の最前方揺動変位位置がリール昇降レバー６３より前方に位置させている。
【００３４】
この実施形態では、主変速レバー用ガイド溝５０ａから上方に突き出している主変速レバー６１の操作変位には、前進速度を調整する前後方向の第１揺動変位範囲及び後進速度を調整する前後方向の第２揺動変位範囲と、その間をつなぐ中立付近の変速位置をもたらす横断方向の中間揺動変位範囲とが含まれる。第１揺動変位範囲と第２揺動変位範囲の横断方向の位置は一致しており、第１揺動変位範囲と第２揺動変位範囲とは位置直線上にある。このため、主変速レバー用ガイド溝５０ａもそれに対応するように中間揺動範囲の部分で段違いとなったガイド溝形状を有する。
【００３５】
副変速レバー用ガイド溝５０ｄから上方に突き出している副変速レバー６４の操作変位には、高速段及び低速段を設定する２つの異なる前後方向の揺動変位範囲と、その間をつなぐ中間揺動変位範囲とが含まれる。このため、副変速レバー用ガイド溝５０ｄもそれに対応するコの字状のガイド溝形状を有する。
【００３６】
さらに、上面パネル５０の後領域には、ハンドアクセルレバーのためのアクセルレバー用溝５０ｅ、脱穀などの後処理動作機器の動力伝達制御を行う２つのクラッチレバー用ガイド溝５０ｆ、５０ｇが横並びで、前後方向に延びるように形成されている。
【００３７】
運転席３３の前方には、パワーステアリングユニット４３とともにステアリング装置４を構成するステアリングユニット４０が配置されている。ステアリングユニット４０は、ステアリングハンドル４１とハンドルポスト４２とからなる。ハンドルポスト４２は、運転フロア３２に取り付けられた固定ポスト部４４とこの固定ポスト部４４にチルト機構４６を介して揺動可能に連結された揺動ポスト部４５とからなる。ステアリングハンドル４１は揺動ポスト部４５の上面から延びている。
【００３８】
図９から理解できるように、操作卓５の前端が、特に上面パネル５０の前端が、キャビン３０のフロントガラス３０ａないしはステアリングユニット４０との間で人の通過を許す間隔を形成する程度に運転席３３の前端より前方に突き出しているだけなので、キャビン３０の通行性は確保されている。
【００３９】
さらに、この実施形態では、フィーダ１５が運転席３３とステアリングハンドル４１の下方、つまりキャビン中心線ＣＣ上を延びているので、操縦している運転者がフィーダ１５の搬入口領域を良好に視認することができる。
【００４０】
次に図１０と図１１とを用いて、ステアリング装置４の構造を説明する。このステアリング装置４は、運転席３３に着座した運転者によって操作されるステアリングハンドル４１と、このステアリングハンドル４１を支持しているハンドルポスト４２と、図８で示されたような油圧回路を有する油圧式パワーステアリングユニット４３とから構成されている。
【００４１】
ステアリングハンドル４１は、リング状のステアリングホイールと、ステアリングホイールのリング体の一部から上方に突出したグリップ部と、ステアリングホイール４１の中心であるステアリング軸心を示すホイール中心線ＷＣに沿って下方に突出したハンドル軸４１ａとからなる。なお、この実施形態では、ホイール中心線ＷＣは、ハンドルポスト４２の中心を垂直方向に延びるポスト中心線ＰＣより、車体前後方向で後側、つまり運転席３３側にオフセットしている。
【００４２】
ハンドルポスト４２はパネル構造体であり、下側半分が固定ポスト部４４であり、上側半分が揺動ポスト部４５である。固定ポスト部４４は、側板４４ｂからなる四角形断面の筒体であり、この実施形態では、車体１に取付プレート４４ａを用いて固定される。揺動ポスト部４５は、下方部がやや窄まった形状の筒体を作り出す側板４５ｂと、その上側開口部を閉鎖する天板４５ａとからなる。固定ポスト部４４と揺動ポスト部４５は、揺動ポスト部４５の下側開口部から固定ポスト部４４の上部を進入させた状態で、固定ポスト部４４と揺動ポスト部４５を車体横断方向水平に貫通する、チルト機構４６の揺動軸心ＴＡを作り出すチルト軸としても機能する連結ボルト４６ａによって揺動可能に連結している。なお、揺動ポスト部４５の側板４５ｂの後面の下側一部は、揺動軸心ＴＡ揺動の際の固定ポスト部４４との干渉を避けるために切り取られている。
【００４３】
チルト機構４６の上方に、チルトロックユニット４７が設けられている。このチルトロックユニット４７は、固定ポスト部４４の側板４４ｂと揺動ポスト部４５の側板４５ｂに設けられた車体横断方向に延びた貫通孔（一方が丸孔で他方が円弧長孔）に挿入され、ねじ締め付けによって側板４４ｂと側板４５ｂとを共締めして締め付け固定するねじロッド４７ａと、このねじロッド４７ａの外端部に折りたたみ回動可能に取り付けられた操作グリップ４７ｂとからなる。この操作グリップ４７ｂを用いてねじロッド４７ａによる締め付けを解除し、揺動ポスト部４５を所望のチルト角に揺動させた後、再びねじロッド４７ａによる締め付けを行うことで、揺動ポスト部４５を固定ポスト部４４に固定することができる。
【００４４】
油圧式パワーステアリングユニット４３を構成するコントロール部４３ａは、ポスト中心線ＰＣより後方側で揺動ポスト部４５の天板４５ａの裏面にボルトで取り付けられている。ハンドル軸４１ａは天板４５ａの表面に取り付けられた軸受けユニットによって軸受けされており、ハンドル軸４１ａは、天板４５ａに設けられた貫通孔を通ってコントロール部４３ａの入力部と連結している。コントロール部４３ａと油圧ポンプ４３ｄ及び油圧シリンダ４３ｂへの接続のため、コントロール部４３ａから樹脂ホース製のパワーステアリング配管（配管部材）４３ｃが揺動ポスト部４５と固定ポスト部４４との内部空間を通り抜けて、車体下部に延びている。
【００４５】
揺動ポスト部４５の天板４５ａには、さらにポスト中心線ＰＣを挟んでハンドル軸４１ａの反対側にウインカーレバーユニット４９が設けられている。図１０から明らかなように、この実施形態ではホイール中心線ＷＣであるステアリング軸心は、固定ポスト部４４の中心軸より車体前後方向で後方にオフセットしているが、ステアリングハンドル４１の車体前方側最大突出端（最大操作軌跡）が側面視でないしは平面視で揺動ポスト部４５の車体前方側最大突出部（最大揺動軌跡）及び固定ポスト部４４の車体前方側最大突出部の近傍に位置している。この構成により、固定ポスト部４４をキャビン３０のフロントガラス３０ａに隣接して設置した場合でも、フロントガラス３０ａの前傾斜姿勢のおかげで、揺動ポスト部４５、特にテアリングハンドル４１とフロントガラス３０ａとの間に接触しない程度の隙間だけが確保され、キャビン３０の有効利用が実現する。
【００４６】
図１０から図１２に示すように、ハンドルポスト４２の固定ポスト部４４の左側には、駐車ブレーキペダル９１と駐車ブレーキペダル９１を支持する駐車ブレーキハウジング９２とからなる駐車ブレーキ装置９０が取り付けられている。駐車ブレーキペダル９１の操作変位は、駐車ブレーキリンク機構９３を介して、操作変位中継部７０に伝達される。この操作変位中継部７０に、ＨＳＴ２１ａの斜板角を操作する主変速レバー６１の操作変位を伝達する変速レバーリンク機構７１もつながっている。操作変位中継部７０からは、図示されていないＨＳＴ２１ａの斜板角調整機構に操作変位を伝達するリンクロッドと、同じく図示されていないブレーキ機構に操作変位を伝達するリンクロッドが連結している。操作変位中継部７０は、駐車ブレーキペダル９１を踏み込むことで、ブレーキ機構がＯＮされるとともに、主変速レバー６１及びＨＳＴ２１ａが強制的に中立位置となるように構成されている。
【００４７】
〔別実施形態〕
（１）上述した実施形態では、チルト機構４６の構成は、揺動ポスト部４５と固定ポスト部４４の側板を貫通する連結ボルト４６ａによって揺動ポスト部４５を固定ポスト部４４に揺動可能に支持する簡単なものであったが、それ以外の種々のチルト機構４６を採用することができる。
（２）ハンドルポスト４２と運転席３３の位置関係は、上述した実施形態のように車体中心またはキャビン中心ＣＣに位置させる以外に、キャビン３０の左端や右端に位置させてもよい。
（３）上記実施形態では、運転部３は、全方位をキャビン３０で覆われていたが、そのようなキャビン３０を、運転部３を部分的に覆う簡易なカバーに置き換えてもよい。
（４）上記実施形態では、作業機として、ホイール式の刈取収穫機が示されたが、クローラ式の刈取収穫機や、ホイールとクローラの組み合わせた形式の刈取収穫機、さらにはトラクタやローダ、バックホウなど種々の作業機に本発明を適用させてもよい。
【産業上の利用可能性】
【００４８】
本発明は、チルト調整可能なハンドルポストを備えたパワーステアリング機能を備えたステアリング装置に適用できる。
【符号の説明】
【００４９】
１  ：車体
１０：フレームアッセンブリ
１１：走行装置
１１ａ：前輪
１１ｂ：後輪(操向輪)
１９：油圧回路
３  ：運転部
３０：キャビン
３０ａ：フロントガラス
３３：運転席
４  ：ステアリング装置
４０：ステアリングユニット
４１：ステアリングハンドル
４１ａ：ステアリング軸
４２：ハンドルポスト
４３：パワーステアリングユニット
４３ａ：コントロール部
４３ｂ：アクチュエータ部（油圧シリンダ）
４３ｃ：パワーステアリング配管（フレキシブル配管部材：ホース）
４４：固定ポスト部
４５：揺動ポスト部
４５ａ：天板
４５ｂ：側板
４６：チルト機構
４６ａ：チルト軸
４７：チルトロックユニット
４７ａ：ねじロッド
４７ｂ：操作グリップ
４９：ウインカーレバーユニット
５  ：運転操作卓
５０：上面部（上面パネル）
６  ：操作レバー群
６１：主変速レバー（変速レバー）
ＰＣ：ポスト中心線
ＷＣ：ホイール中心線（ステアリング軸心）
ＴＡ：揺動軸心
【図１】
2013184560.tif 000003
【図２】
2013184560.tif 000004
【図３】
2013184560.tif 000005
【図４】
2013184560.tif 000006
【図５】
2013184560.tif 000007
【図６】
2013184560.tif 000008
【図７】
2013184560.tif 000009
【図８】
2013184560.tif 000010
【図９】
2013184560.tif 000011
【図１０】
2013184560.tif 000012
【図１１】
2013184560.tif 000013
【図１２】
2013184560.tif 000014